【事件の表示】
　特許第３２２９８７９号「電気掃除機用ホース及び電気掃除機」の請求項１ないし６に係る特許に対する特許異議の申立てについて、次のとおり決定する。
【結　論】
　訂正を認める。
　特許第３２２９８７９号の請求項１ないし４に係る特許を維持する。
【理　由】
〔１〕手続の経緯
　特許第3229879号の請求項１〜６に係る発明は、平成11年12月14日に出願した特願平11-353818号の一部を平成12年９月29日に新たな特許出願としたものであって、平成13年９月７日にその特許権の設定登録がされ、その後田村義人より特許異議の申立てがされ、取消しの理由が通知され、その指定期間内である平成15年３月18日に訂正請求がされ、訂正拒絶の理由が通知され、その指定期間内である平成15年５月26日に補正がされたものである。
　
〔２〕補正の適否についての判断
(1)補正の内容
　ア．補正事項ａ
　平成15年３月18日付け訂正請求書の特許請求の範囲の【請求項２】中の「請求項１記載の」を削除する。
　イ．補正事項ｂ
　同【請求項４】中の「請求項３記載の」を削除する。
　
(2)補正の適否
　上記補正事項ａは、特許請求の範囲の【請求項２】の減縮の際誤って「請求項１記載の」と挿入したものであるから、明らかに誤記であるものと認められる。
　同じく上記補正事項ｂも、特許請求の範囲の【請求項５】の減縮の際誤って「請求項３記載の」と挿入したものであるから、明らかに誤記であるものと認められる。
　
(3)むすび
　したがって、上記補正は、明らかな誤記によるものと認められるから、特許法第120条の４第３項で準用する同法第131条第２項に規定する要旨を変更するものには該当しない。
　よって、上記補正を認める。
　　
〔３〕訂正の適否についての判断
　上記〔２〕で示したように、上記補正が認められるから、平成15年３月18日付けの訂正請求は、以下のとおりであるものと認められる。
(1)訂正の内容
　ア．訂正事項ａ
　特許請求の範囲の請求項１〜６の
「【請求項１】内側ホースと外側ホースからなる二重構造に構成され、前記内側ホース内を吸気流路とすると共に、前記内側ホースと外側ホースとの間を排気流路とした電気掃除機用ホースであって、前記外側ホースに、無数の微少な貫通穴を形成したことを特徴とする電気掃除機用ホース。
【請求項２】内側ホースと外側ホースとからなる二重構造に構成され、前記内側ホース内を吸気流路とすると共に、前記内側ホースと外側ホースとの間を排気流路とした電気掃除機用ホースであって、前記外側ホースを、通気性を有する部材にて構成したことを特徴とする電気掃除機用ホース。
【請求項３】前記外側ホースを布にて形成したことを特徴とする請求項２記載の電気掃除機用ホース。
【請求項４】電動送風機を内蔵すると共に電動送風機の排気を流す排気流路を有する掃除機本体に、ホース及び連結パイプを介して吸込具を連結した電気掃除機であって、前記ホースを、内側ホースと外側ホースからなる二重構造に構成し、前記内側ホース内を吸気流路とすると共に、前記内側ホースと外側ホースとの間を掃除機本体の排気流路に連通する排気流路とし、前記外側ホースに、無数の微少な貫通穴を形成したことを特徴とする電気掃除機。
【請求項５】電動送風機を内蔵すると共に電動送風機の排気を流す排気流路を有する掃除機本体に、ホース及び連結パイプを介して吸込具を連結した電気掃除機であって、前記ホースを、内側ホースと外側ホースからなる二重構造に構成し、前記内側ホース内を吸気流路とすると共に、前記内側ホースと外側ホースとの間を掃除機本体の排気流路に連通する排気流路とし、前記外側ホースを、通気性を有する部材にて構成したことを特徴とする電気掃除機。
【請求項６】前記外側ホースを布にて形成したことを特徴とする請求項５記載の電気掃除機。」を、
「【請求項１】内側ホースと外側ホースからなる二重構造に構成され、前記内側ホース内を吸気流路とすると共に、前記内側ホースと外側ホースとの間を排気流路とした電気掃除機用ホースであって、前記外側ホースに、無数の微少な貫通穴を形成したことを特徴とする電気掃除機用ホース。
【請求項２】内側ホースと外側ホースとからなる二重構造に構成され、前記内側ホース内を吸気流路とすると共に、前記内側ホースと外側ホースとの間を排気流路とした電気掃除機用ホースであって、前記外側ホースを布にて形成したことを特徴とする電気掃除機用ホース。
【請求項３】電動送風機を内蔵すると共に電動送風機の排気を流す排気流路を有する掃除機本体に、ホース及び連結パイプを介して吸込具を連結した電気掃除機であって、前記ホースを、内側ホースと外側ホースからなる二重構造に構成し、前記内側ホース内を吸気流路とすると共に、前記内側ホースと外側ホースとの間を掃除機本体の排気流路に連通する排気流路とし、前記外側ホースに、無数の微少な貫通穴を形成したことを特徴とする電気掃除機。
【請求項４】電動送風機を内蔵すると共に電動送風機の排気を流す排気流路を有する掃除機本体に、ホース及び連結パイプを介して吸込具を連結した電気掃除機であって、前記ホースを、内側ホースと外側ホースからなる二重構造に構成し、前記内側ホース内を吸気流路とすると共に、前記内側ホースと外側ホースとの間を掃除機本体の排気流路に連通する排気流路とし、前記外側ホースを布にて形成したことを特徴とする電気掃除機。」と訂正する。
　イ．訂正事項ｂ
　発明の詳細な説明中の段落【0008】の記載を「【0008】また、本発明の電気掃除機用ホースは、内側ホースと外側ホースとからなる二重構造に構成され、前記内側ホース内を吸気流路とすると共に、前記内側ホースと外側ホースとの間を排気流路とした電気掃除機用ホースであって、前記外側ホースを布にて形成したことを特徴とする。」と訂正する。
　ウ．訂正事項ｃ
　発明の詳細な説明中の段落【0009】の記載を削除する。
　エ．訂正事項ｄ
　発明の詳細な説明中の段落【0011】の記載を「【0011】また、本発明の電気掃除機は、電動送風機を内蔵すると共に電動送風機の排気を流す排気流路を有する掃除機本体に、ホース及び連結パイプを介して吸込具を連結した電気掃除機であって、前記ホースを、内側ホースと外側ホースからなる二重構造に構成し、前記内側ホース内を吸気流路とすると共に、前記内側ホースと外側ホースとの間を掃除機本体の排気流路に連通する排気流路とし、前記外側ホースを布にて形成したことを特徴とする。」と訂正する。
　オ．訂正事項ｅ
　発明の詳細な説明中の段落【0012】の記載事項を削除する。
　カ．訂正事項ｆ
　発明の詳細な説明中の段落【0050】の記載を「【0050】本発明の請求項２の構成によれば、排気流路を形成する外側ホースを布にて形成しているので、集中して排気されることがなく、外側ホースからゆっくりと周囲に分散して排気できるので、排気により塵埃を舞い上げるのを低減することができる。また、外側ホースを布にて形成しているので、耐久性を向上することができると共に、軽量化を図ることができる。」と訂正する。
　キ．訂正事項ｇ
　発明の詳細な説明中の段落【0051】の記載事項を削除する。
　ク．訂正事項ｈ
　発明に詳細な説明中の段落【0052】の記載を「【0052】本発明の請求項３の構成によれば、排気流路を形成する外側ホースに設けた無数の微少な貫通穴により、集中して排気されることがなく、外側ホースからゆっくりと周囲に分散して排気できるので、排気により塵埃を舞い上げるのを低減することができる。」と訂正する。
　ケ．訂正事項ｉ
　発明の詳細な説明中の段落【0053】の記載を「【0053】本発明の請求項４の構成によれば、排気流路を形成する外側ホースを布にて形成しているので、集中して排気されることなく、外側ホースからゆっくりと周囲に分散して排気できるので、排気により塵埃を舞い上げるのを低減することができる。また、外側ホースを布にて形成しているので、耐久性を向上することができると共に、軽量化を図ることができる。」と訂正する。
　
(2)訂正の目的の適否、新規事項の有無及び拡張・変更の存否
　上記訂正事項ａは、訂正前の請求項３に記載された事項を訂正前の請求項２に記載された事項に追加して減縮した請求項２とし、訂正前の請求項３に記載された事項を削除して訂正前の請求項４に記載された事項を訂正後の請求項３とし、訂正前の請求項６に記載された事項を訂正前の請求項５に記載された事項に追加して減縮した訂正後の請求項４とし、および訂正前の請求項６を削除するものであるから、特許請求の範囲の減縮を目的とする訂正であり、かつ、新規事項の追加に該当しない。
　上記訂正事項ｂ〜ｉは、上記訂正事項ａと整合を図るものであるから、明りょうでない記載の釈明を目的とする訂正であり、新規事項の追加に該当しない。
　そして、上記訂正事項ａ〜ｉは、実質的に特許請求の範囲を拡張又は変更するものではない。
　
(3)むすび
　したがって、上記訂正は、特許法第120条の４第２項及び同条第３項で準用する同法第126条第２項及び第３項の規定に適合するので、当該訂正を認める。
　
〔４〕特許異議の申立てについての判断
(1)申立ての理由の概要
　申立人田村義人は、請求項１〜６に係る発明は、甲第１号証（実願昭51-61799号（実開昭52-152579号）のマイクロフィルム）、甲第２号証（特開昭59-125537号公報）、甲第３号証（特開平11-221175号公報）に記載されたものに基いて当業者が容易に発明をすることができたものであるから、特許法第29条第２項の規定により特許を受けることができないものであり、当該特許は取り消されるべきである、と主張している。
　
(2)本件発明１〜４
　上記〔３〕で示したように上記訂正が認められるから、本件の請求項１〜４に係る発明（以下、「本件発明１」〜「本件発明４」という。）は、上記訂正請求に係る訂正明細書の特許請求の範囲の請求項１〜４に記載された事項により特定されるとおりのものである。（上記〔３〕(1)ア．訂正事項ａ参照）
　
(3)甲号各証に記載された発明
　甲第１号証（実願昭51-61799号（実開昭52-152579号）のマイクロフィルム）には、循環掃除機に関して、第１〜３図とともに以下の事項が記載されている。
「風が循環できるように、それぞれに別れた風道を持つ、ホース３の一端を送風機１に、他の一端に塵取口２を取付けて、ホース３を通じて送風機１と、塵取口２の間に風を循環させて、排出口６より、原動機の冷却用程度にだけ空気を排出させ、機外に排出する風量を減少させたことを特徴とした循環掃除機。」（実用新案登録請求の範囲）
　
　甲第２号証（特開昭59-125537号公報）には、電気掃除機に関して、第１〜７図とともに以下の事項が記載されている。
「(7)は吸気口(1)の全周に沿って外側に排気が吸気口に流入するように設けられた排気吹き出し口、(2)は排気通路(9)と吸気通路(10)とからなる延長管である。上記のように構成された電気掃除機においては、フィルターにより塵を除去された排気は排気通路(9)を通り排気吹き出し口(7)より噴出し、例えば床にある塵やほこりを吹き上げる。この塵を含む排気は再び吸気口(1)より電気掃除機本体へ吸引され、室内への排気放出量は減少することとなる。・・・（中略）・・・第７図はこれを防ぐため、塵を捕集され吹き出し口へ向う排気の一部を放出するための排気放出口を備えた延長管の断面図である。(9)は排気通路，(10)は吸気通路，(11)は排気放出量の調節ができる排気放出口である。この排気放出口(11)より排気放出口へ向う排気の一部を放出することにより、吸気口における吹き出し排気量を吸引量よりも少なくし吸気口からの排気の逃げを防止することができる。」（第２頁左上欄第４行〜左下欄第７行）
　
　甲第３号証（特開平11-221175号公報）には、電気掃除機用吸込み具に関して、図１〜８とともに以下の事項が記載されている。
「本発明において吸込み具の外周壁にリーク手段をなす排気開口105を設ける場合、この開口105を隔壁104に跨って両風路106、107を連通させるように設けてもよい。この場合、排気開口105を介して排気風路107からその外部漏れる空気の一部を外気とともに吸気風路106に吸込んでサーキュレートさせることができるので、循環する空気の温度を下げることができる点で優れている。」（段落【0053】）
　
(3)対比・判断
　ア．本件発明１、３について
　本件発明１、３と甲第１〜３号証に記載された発明を対比すると、甲第１〜３号証に記載されたいずれの発明も、本件発明１、３の必須構成要件である「外側ホースに、無数の微少な貫通穴を形成した」構成を有しておらず、またこの構成は容易に想到しうるものとはいえない。
　そして、本件発明１、３は、上記構成を有することにより、「集中して排気されることがなく、外側ホースからゆっくりと周囲に分散して排気できるので、排気により塵埃を舞い上げるのを低減することができる。」という明細書に記載の効果を奏することができるものである。
　したがって、本件発明１、３は、甲第１〜３号証に記載された発明に基いて当業者が容易に発明をすることができたものとすることはできない。
　
　イ．本件発明２、４について
　本件発明２、４と甲第１〜３号証に記載された発明を対比すると、甲第１〜３号証に記載されたいずれの発明も、本件発明２、４の必須構成要件である「外側ホースを布にて形成した」構成を有しておらず、またこの構成は容易に想到しうるものとはいえない。
　そして、本件発明２、４は、上記構成を有することにより、「集中して排気されることがなく、外側ホースからゆっくりと周囲に分散して排気できるので、排気により塵埃を舞い上げるのを低減することができる。また、外側ホースを布にて形成しているので、耐久性を向上することができると共に、軽量化を図ることができる。」という明細書に記載の効果を奏することができるものである。
　したがって、本件発明２、４は、甲第１〜３号証に記載された発明に基いて当業者が容易に発明をすることができたものとすることはできない。
　
〔５〕むすび
　以上のとおりであるから、特許異議申立てに理由及び証拠によっては、本件発明１〜４に係る特許を取り消すことはできない。
　また、他に本件発明１〜４に係る特許を取り消すべき理由を発見しない。
　よって、結論のとおり決定する。
【異議決定日】
平成１５年６月２０日（２００３．６．２０）
【訂正の要旨】
審決（決定）の【理由】欄参照。
（５４）【発明の名称】
電気掃除機用ホース及び電気掃除機
（５７）【特許請求の範囲】
　【請求項１】　内側ホースと外側ホースからなる二重構造に構成され、前記内側ホース内を吸気流路とすると共に、前記内側ホースと外側ホースとの間を排気流路とした電気掃除機用ホースであって、前記外側ホースに、無数の微少な貫通穴を形成したことを特徴とする電気掃除機用ホース。
　【請求項２】　内側ホースと外側ホースからなる二重構造に構成され、前記内側ホース内を吸気流路とすると共に、前記内側ホースと外側ホースとの間を排気流路とした電気掃除機用ホースであって、前記外側ホースを布にて形成したことを特徴とす
る電
　【請求項３】　電動送風機を内蔵すると共に電動送風機の排気を流す排気流路を有する掃除機本体に、ホース及び連結パイプを介して吸込具を連結した電気掃除機であって、前記ホースを、内側ホースと外側ホースからなる二重構造に構成し、前記内側ホース内を吸気流路とすると共に、前記内側ホースと外側ホースとの間を掃除機本体の排気流路に連通する排気流路とし、前記外側ホースに、無数の微少な貫通穴を形成したことを特徴とする電気掃除機。
　【請求項４】　電動送風機を内蔵すると共に電動送風機の排気を流す排気流路を有する掃除機本体に、ホース及び連結パイプを介して吸込具を連結した電気掃除機であって、前記ホースを、内側ホースと外側ホースからなる二重構造に構成し、前記内側ホース内を吸気流路とすると共に、前記内側ホースと外側ホースとの間を掃除機本体の排気流路に連通する排気流路とし、前記外側ホースを布にて形成したことを特徴とす
る電
【発明の詳細な説明】
　【０００１】
　【発明の属する技術分野】
　本願発明は電気掃除機に係わり、特に掃除機本体に内蔵した電動送風機からの排気をホース及びパイプを介して吸込具に還流するようにした排気還流（循環）式の電気掃除機とホースに関するものである。
　【０００２】
　【従来の技術】
　一般的な床移動型の電気掃除機においては、掃除機本体に内蔵した電動送風機からの排気を本体背面側等に形成された排気口から外部に排出するようにしているが、電動送風機からの排気が総て排出されるため、かなりの勢いで外部に吹き出され、この排気風によって床面や絨毯上に沈滞する塵埃が舞い上がり、部屋中に拡散するという不具合が生じる。
　【０００３】
　この点を解消するために、掃除機本体に連結されるホース、パイプ及び吸込具に、吸気流路と共に電動送風機からの排気を還流する排気流路を形成した電気掃除機が提案されている。
　【０００４】
　この排気還流式の電気掃除機において、還流する空気は電動送風機を冷却するときに電動送風機の熱により暖められるが、完全に排気を還流させた場合、外部から空気が取り入れられないので、漸次温度が上昇し、ホースや本体の構成部品の耐久性が低下し、著しい場合は破損する恐れがある。
　【０００５】
　また、特開平３−１６２８１４号公報に開示されているように、完全に排気を還流するのではなく、排気の一部を掃除機本体後部の排気口から排気した場合には、吸込具から外部の空気を吸い込むことができるので、循環する空気が高温になるのを防止できるが、掃除機本体の排気口からの排気風によって床面や絨毯上に沈滞する塵埃が舞い上がり、部屋中に拡散する恐れがあった。
　【０００６】
　【発明が解決しようとする課題】
　本発明は、還流する空気が高温になるのを防止しつつ排気による塵埃の舞い上げを抑制できる電気掃除機を提供することを課題とする。
　【０００７】
　【課題を解決するための手段】
　本発明の電気掃除機用ホースは、内側ホースと外側ホースからなる二重構造に構成され、前記内側ホース内を吸気流路とすると共に、前記内側ホースと外側ホースとの間を排気流路とした電気掃除機用ホースであって、前記外側ホースに、無数の微少な貫通穴を形成したことを特徴とする。
　【０００８】
　また、本発明の電気掃除機用ホースは、内側ホースと外側ホースからなる二重構造に構成され、前記内側ホース内を吸気流路とすると共に、前記内側ホースと外側ホースとの間を排気流路とした電気掃除機用ホースであって、前記外側ホースを布にて形成したことを特徴とする。
　【０００９】
　【００１０】
　本発明の電気掃除機は、電動送風機を内蔵すると共に電動送風機の排気を流す排気流路を有する掃除機本体に、ホース及び連結パイプを介して吸込具を連結した電気掃除機であって、前記ホースを、内側ホースと外側ホースからなる二重構造に構成し、前記内側ホース内を吸気流路とすると共に、前記内側ホースと外側ホースとの間を掃除機本体の排気流路に連通する排気流路とし、前記外側ホースに、無数の微少な貫通穴を形成したことを特徴とする。
　【００１１】
　また、本発明の電気掃除機は、電動送風機を内蔵すると共に電動送風機の排気を流す排気流路を有する掃除機本体に、ホース及び連結パイプを介して吸込具を連結した電気掃除機であって、前記ホースを、内側ホースと外側ホースからなる二重構造に構成し、前記内側ホース内を吸気流路とすると共に、前記内側ホースと外側ホースとの間を掃除機本体の排気流路に連通する排気流路とし、前記外側ホースを布にて形成したことを特徴とする。
　【００１２】
　【００１３】
　【発明の実施の形態】
　図１乃至図８に本発明の実施の形態を示し、以下、これらの図に基づいて説明する。
　【００１４】
　１は掃除機本体で、図２に示すように上ケース２と、下ケース３と、集塵蓋４とから構成されており、掃除機本体１の前方側には後述する本体側ホース接続部１７が接続されるホース接続口５が形成され、後方側にはスリット状の排気口６が形成されている。この掃除機本体１内の底部には、隔壁７により掃除機本体１内の上部空間と仕切られ、前記ホース接続口５と連通する排気流路Ｂ１と、前記排気口６と連通する外部排気流路Ｃとが形成されている。この隔壁７には隔壁７の上方の空間を前後に区画する区画壁８が立設されている。
　【００１５】
　９は前記区画壁８の前方側に形成された集塵室で、前方側に前記ホース接続口５と同心円上にホース差込口９ａが形成されている。この集塵室９内には集塵袋１０を着脱自在に固定する集塵袋取付ケース１１が着脱自在に収納されており、装着状態で集塵袋１０の開口が前記集塵室９のホース差込口９ａに対向するようにしている。
　【００１６】
　１２は前記区画壁８に取り付けられた微塵フィルタで、前記集塵袋１０の後方側に位置して微細な塵埃を除去するようになっている。
　【００１７】
　１３は前記区画壁８の後方側に形成された電動送風機収納室で、内部に電動送風機１４が収納される。この電動送風機収納室１３の下方側には、電動送風機収納室１３と前記排気流路Ｂ１及び外部排気流路Ｃを連通するように開口１３ａが形成されており、電動送風機１４の駆動により電動送風機１４からの排気が、下ケース３に立設されたリブ１５により分流され、前記開口１３ａから前記排気流路Ｂ１を介してホース接続口５側に導かれると共に、一部は前記開口１３ａから外部排気流路Ｃ、排気口６に設けられた排気フィルタ１６を介して排気口６から掃除機本体１外に排気される。
　【００１８】
　１７は後述するホース２１に接続されてホース接続口５に装着される本体側ホース接続部で、図３及び図４に示すように円筒状の外側パイプ１８と、この外側パイプ１８に複数の支持リブ１９ａにより一体形成された内側パイプ１９とからなる２重構造をしている。
　【００１９】
　前記外側パイプ１８のホース接続口５に装着される一端側にはホース接続口５に設けられた被係止部５ａに係止される係止爪１８ａが形成される一方、他端側にはネジ状に形成された外側リブ１８ｂが管軸方向に対して傾斜して形成されている。
　【００２０】
　前記内側パイプ１９は、ホース接続口５に装着される一端側をホース差込口９ａから集塵室９内に突出するように外側パイプ１８より長く形成されている。一方、他端側は外側パイプ１８より長く形成され、外周側に外側パイプ１８の外側リブ１８ｂと同方向に傾斜する内側リブ１９ｂが形成されている。２０は本体側ホース接続部１７のホース２１が接続される側を覆うように設けられた円筒状のカバーである。
　【００２１】
　前記本体側ホース接続部１７は前記係止爪１８ａを前記掃除機本体１のホース接続口５に係止することで、前記本体側ホース接続部１７の内側パイプ１９が前記集塵室９内に突出して集塵室９内と連通し、内側パイプ１９内が吸気流路Ａ２となる。また、外側パイプ１８は掃除機本体１内の排気流路Ｂ１と連通し、外側パイプ１８と内側パイプ１９との間が排気流路Ｂ２となる。
　【００２２】
　２１は本体側ホース接続部１７及び後述するホース接続部２７に装着されるホースで、図５に示すように外側ホース２２と内側ホース２３とからなる２重構造になっている。
　【００２３】
　前記外側ホース２２は図６に示すようにスチレン系エラストマーからなる長尺状の部材を螺旋状に巻回し、長尺状部材の幅方向端部の接合部２２ａをポリプロピレンからなる接合剤にて接合することで管状に形成されている。この接合部２２ａ及び長尺状部材の幅方向略中央部にはそれぞれ螺旋状の突条２２ｂ、２２ｃが形成されており、この突条２２ｂ、２２ｃに信号線としての導電性のコイル２２ｄ、２２ｅが内装されており、外側ホース２２のコイル線２２ｄ、２２ｅによりホース２１の強度を向上させている。この外側ホース２２には空気が通過可能な通気手段としての無数の微小な貫通孔２２ｆが形成されている。
　【００２４】
　尚、この外側ホース２２は半透明に形成し、外側ホース２２を通して内側ホース２３が見えるようにして、デザイン性を向上させるようにしている。外側ホース２２を半透明にすることにより、外部からコイル２２ｄ、２２ｅが見え、使用者に不安感を与えるおそれがあるため、接合剤はポリプロピレンに乳白色の着色剤を添加して、外部からコイル２２ｄ、２２ｅが見えにくくなるようにしている。
　【００２５】
　一方、内側ホース２３は図７に示すようにスチレン系エラストマーからなる長尺状の部材を螺旋状に巻回し、長尺状部材の幅方向端部の接合部２３ａをポリプロピレンからなる接合剤にて接合することで管状に形成され、その接合部２３ａ及び長尺状部材の幅方向略中央部にそれぞれ螺旋状の突条２３ｂ、２３ｃが形成されている。また、前記内側ホース２３は、スチレン系エラストマーに着色剤を添加することにより不透明に形成されている。
　【００２６】
　このホース２１は、先ず、内側ホース２３の巻回方向を本体側ホース接続部１７の内側リブ１９ｂの傾斜と同方向にして内側ホース２３を内側リブ１９ｂにねじ込まれる。この際、内側パイプ１９のホース２１が接続される一端側は外側パイプ１８より突出しているので、この突出した部分に内側ホース２３を挿入して装着でき、内側ホース２３の装着が容易に行うことができるようになっている。
　【００２７】
　次に、内側ホース２３の場合と同様に外側ホース２２の巻回方向を本体側ホース接続部１７の外側リブ１８ｂの傾斜と同方向にして外側ホース２２を外側リブ１８ｂにねじ込み、ホース２１の本体側ホース接続部１７への装着が完了する。
　【００２８】
　この際、内側ホース２３内は本体側ホース接続部１７の吸気流路Ａ２に連通され、吸気流路Ａ３となる一方、外側ホース２２と内側ホース２３との間は本体側ホース接続部１７の排気流路Ｂ２に連通され、排気流路Ｂ３となる。
　【００２９】
　また、内側ホース２３の巻回方向と外側ホース２２の巻回方向とは同方向としているので、内側ホース２３及び外側ホース２２は屈曲され易い方向や捻られやすい方向が同方向となる。従って、掃除機本体１を使用中にホース２１がねじられたり屈曲されたりした際に、外側ホース２２及び内側ホース２３は互いに追従してねじられたり屈曲されたりするので、外側ホース２２及び内側ホース２３はそれぞれのねじりや屈曲に対して互いに抵抗となることなく、ホース２１のしなやかさが確保される。
　【００３０】
　２４は一端側にホース２１が接続され、他端側に後述する連結パイプ３２が装着されるグリップ部で、連結パイプ３２が装着されるハンドル部３５と、一端側にホース２１が接続され、他端側がハンドル部３５に装着されるホース接続部２７とから構成されている。
　【００３１】
　前記ホース接続部２７は、円筒状の外側パイプ２８と、この外側パイプ２８に支持リブ２９ａで一体形成された内側パイプ２９とからなる２重構造をしており、ホース２１が接続される側を覆うようにカバー３１が設けられている。
　【００３２】
　前記外側パイプ２８及び内側パイプ２９の外周には、前記本体側ホース接続部１７の外側リブ１８ｂ及び内側リブ１９ｂと同じ傾斜の外側リブ２８ａと内側リブ２９ａがそれぞれ形成されており、ホース２１の外側ホース２２と内側ホース２３を同方向にねじって装着できるようになっている。これにより、組立作業が容易になっている。
　【００３３】
　この際、外側パイプ２８と内側パイプ２９との間は、ホース２１の排気流路Ｂ３と連通し、排気流路Ｂ４となる。また、内側パイプ２９内はホース２１内の吸気流路Ａ３と連通し、吸気流路Ａ４となる。
　【００３４】
　前記ハンドル部３５は、への字状の管状部２５と、管状部２５の上方に延設されたハンドル２６とで構成されており、連結パイプ３２が装着される装着口２５ａが形成され、装着口２５ａの上部にはクランプ２５ｂが設けられている。また、内部には装着口２５ａと連通し、前記内側パイプ２９の端部が挿入される円筒部３０が形成されており、円筒部３０内を内側パイプ２９の吸気流路Ａ４に連通して吸気流路Ａ５とすると共に、円筒部３０の外側とグリップ部２４の外郭との間を内側パイプ２９と外側パイプ２８で形成された排気流路Ｂ４に連通し、排気流路Ｂ５としている。
　【００３５】
　３２はクランプ２５ｂに係止されてグリップ部２４の装着口２５ａに装着される連結パイプで、２本のパイプ３２ａを連結することで形成されている。この連結パイプ３２は、断面略円形の外側筒状部３２ｂと、この外側筒状部３２ｂと偏心し、上部が外側筒状部３２ｂに一体形成された内側筒状部３２ｃとから構成されており、内側筒状部３２ｃと外側筒状部３２ｂとで三日月状の空間を形成している。そして、この連結パイプ３２はグリップ部２４に装着した際に、内側筒状部３２ｃがグリップ部２４の吸気流路Ａ５に連通して内部に吸気流路Ａ６を形成すると共に、外側筒状部３２ｂ及び内側筒状部３２ｃの間はグリップ部２４の排気流路Ｂ５に連通して排気流路Ｂ６を形成する。
　【００３６】
　また、上記排気流路Ｂ６を通る排気は、掃除機本体１の集塵袋１０や微塵フィルタ１２を介して塵埃が取り除かれたきれいな空気であるため、内側筒状部３２ｃのように塵埃詰まりを考慮した断面略円形に形成する必要がない点に着目して、本実施の形態では上述の如く前記排気流路Ｂ６を断面略三日月形として、外側筒状部３２ｂが断面略円形になるように形成している。
　【００３７】
　３３は連結パイプ３２に接続される吸込具で、連結パイプ３２が接続される継手管３３ａ、３３ｂは同心円状の二重構造に形成され、上記連結パイプ３２との嵌合部分は連結パイプ３２と同様の形状をしている。
　【００３８】
　而して、上記のように構成された電気掃除機の使用時には、電動送風機１４の吸引によって、吸込具３３から吸い込んだ塵埃の混じった空気が連結パイプ３２の吸気流路Ａ５、ホース２１の吸気流路Ａ３を通って掃除機本体１内に取り込まれる。掃除機本体１内では、集塵袋１０で塵埃が取り除かれ、更に微塵フィルタ１２を介して清浄化された空気が電動送風機１４に吸引され、その電動送風機１４を冷却する。
　【００３９】
　そして、電動送風機１４からの排気の一部は掃除機本体１の排気口６から外部へ排出され、その他は掃除機本体１の排気流路Ｂ１からホース２１の排気流路Ｂ３を通る。
　【００４０】
　この際、排気流路Ｂ３内の排気の部は、内圧により外側ホース２２に設けた無数の微小な貫通孔２２ｆを通って外側ホース２２からゆっくりと周囲に拡散するように排気されるので、外側ホース２２からの排気により塵埃を舞い上げることを抑制できる。そして、外側ホース２２からの排気は塵埃を除去されたきれいな排気であるので、周囲の空気を汚すことがなく、また、貫通孔２２ｆが目詰まりを起こすことも防止できる。また、床面上をホース２１が移動するときに外側ホース２２に塵埃が付着しても、貫通孔２２ｆからの排気により付着した塵埃を除去でき、目詰まりを防止できる。更に、掃除機本体１の不使用時に、外側ホース２２に塵埃が付着したときでも、使用するときに貫通孔２２ｆからの排気により付着した塵埃を除去でき、目詰まりを防止できる。
　【００４１】
　また、外側ホース２２の突条２２ｂ、２２ｃの方向と内側ホース２３の突条２３の方向が同方向に形成されているため、突条２３による外側ホース２２と内側ホース２３との間を流れる空気に対する通気抵抗が減少し、排気流路Ｂ３を通るときにホース２１の排気流路Ｂ３内での損失を抑えることができる。
　【００４２】
　そして、ホース２１の排気流路Ｂ３を通った後は、連結パイプ３２の排気流路Ｂ６を通って、吸込具３３に還流し、この排気風により舞い上げられた塵埃と共に再び連結パイプ３２の吸気流路Ａ６へと循環する。
　【００４３】
　上述の如く掃除機本体１の排気口６だけではなく外側ホース２２からも排気を行うので、掃除機本体１の排気口６からの排気量を低減でき、排気の風速を遅くできる。これにより、排気口６からの排気風により、掃除中の部屋の埃が舞い上がるのを効果的に抑制することができる。また、掃除機本体１の排気口６と外側ホース２２から排気を行うことによって、吸込具３３から外部の空気を吸い込むことができるので、還流する空気が高温になるのを防止でき、ホース２１や掃除機本体１の構成部品が破損するのを防止できる。
　【００４４】
　また、外側ホース２２及び内側ホース２３の材料としてエラストマーを用いているので、各ホース２２、２３を焼却してもダイオキシンの発生がなく、環境の汚染を抑制することができる。
　【００４５】
　また、各ホース２２、２３はスチレン系エラストマーにて形成しているので、強度を向上させることができ、破損を防止できると共に耐久性を向上させることができる。
　【００４６】
　尚、上述した本実施の形態では、排気口６から一部排気を行うと共に、ホース２１の外側ホース２２から排気したが、掃除機本体１の排気口６からの排気をなくして、排気は外側ホース２２からのみ行うようにし、排気により塵埃が舞い上がるのを更に抑制することが望ましい。
　【００４７】
　また、外側ホース２２に通気手段としての無数の貫通孔２２ｆを形成したが、外側ホース２２を通気性部材である布製としてもよい。上記実施の形態では、使用していくうちに経年変化により貫通孔２２ｆ周囲が劣化して亀裂が入る恐れがあり、耐久性が低下する恐れがあるが、外側ホース２２を布製とした場合には亀裂を生じる恐れが少なく、耐久性を向上できる。また、ホース２１を外側ホース２２と内側ホース２３からなる２重構造とした場合に、操作時の引っ張り力を耐久性のある布製の外側ホース２２にて受けることができるので、内側ホース２３を薄くして軽量化でき、ホース２１全体の軽量化ができ、ホース２１の操作性を向上できる。
　【００４８】
　また、通気手段としての無数の貫通孔２２ｆを排気流路Ｂ３を形成するホース２１に形成したが、排気流路Ｂ４を形成する連結パイプに形成してもよい。
　【００４９】
　【発明の効果】
　本発明の請求項１の構成によれば、排気流路を形成する外側ホースに設けた無数の微少な貫通穴により、集中して排気されることがなく、外側ホースからゆっくりと周囲に分散して排気できるので、排気により塵埃を舞い上げるのを低減することができる。
　【００５０】
　本発明の請求項２の構成によれば、排気流路を形成する外側ホースを布にて形成しているので、集中して排気されることがなく、外側ホースからゆっくりと周囲に分散して排気できるので、排気により塵埃を舞い上げるのを低減することができる。また、外側ホースを布にて形成しているので、耐久性を向上することができると共に、軽量化を図ることができる。
　【００５１】
　【００５２】
　本発明の請求項３の構成によれば、排気流路を形成する外側ホースに設けた無数の微少な貫通穴により、集中して排気されることがなく、外側ホースからゆっくりと周囲に分散して排気できるので、排気により塵埃を舞い上げるのを低減することができる。
　【００５３】
　本発明の請求項４の構成によれば、排気流路を形成する外側ホースを布にて形成しているので、集中して排気されることがなく、外側ホースからゆっくりと周囲に分散して排気できるので、排気により塵埃を舞い上げるのを低減することができる。また、外側ホースを布にて形成しているので、耐久性を向上することができると共に、軽量化を図ることができる。
　【００５４】
【図面の簡単な説明】
　【図１】
　本発明の電気掃除機を示す全体構成の側面断面図であり、ホースの途中の部分は省略している。
　【図２】
　同電気掃除機の本体部分の拡大断面図である。
　【図３】
　同電気掃除機の本体側ホース接続部にホースを接続した状態の拡大断面図である。
　【図４】
　図３におけるホースを省略した状態での断面図である。
　【図５】
　同電気掃除機のホースの一部破断した側面図である。
　【図６】
　図５における外側ホースの一部破断した側面図である。
　【図７】
　図５における内側ホースの一部破断した側面図である。
　【図８】
　同電気掃除機のグリップ部の断面図である。
　【符号の説明】
　　１　　　　　　　掃除機本体
　１４　　　　　　　電動送風機
　２１　　　　　　　ホース
　２２　　　　　　　外側ホース
　２２ｆ　　　　　　貫通孔（通気手段）
　２３　　　　　　　内側ホース
　３２　　　　　　　連結パイプ
　３２ｂ　　　　　　外側筒状部
　３２ｃ　　　　　　内側筒状部
　３３　　　　　　　吸込具
　Ａ２〜Ａ６　　　　吸気流路
　Ｂ１〜Ｂ６　　　　排気流路